(57)【要約】【課題】簡単な構成で電装品を効果的に冷却できる空気調和機の室外機を提供する。【解決手段】ケーシング２０と、ケーシング２０内に配置された室外熱交換器１３と、ケーシング２０内に配置された圧縮機１１と、ケーシング２０内に配置された電装品箱３０とを備える。冷房運転時に圧縮機１１から高温のガス冷媒が供給される室外熱交換器１３のガス供給側の部分が位置するケーシング２０内の以外のケーシング２０内の領域に電装品箱３０を配置する。【選択図】図２
2007205620.tif 000002
【特許請求の範囲】
【請求項１】
ケーシング(２０)と、
上記ケーシング(２０)内に配置された室外熱交換器(１３)と、
上記ケーシング(２０)内に配置された圧縮機(１１)と、
上記ケーシング(２０)内に配置された電装品箱(３０)と
を備え、
冷房運転時に上記室外熱交換器(１３)のガス供給側に上記圧縮機(１１)からの高温のガス冷媒が供給され、
上記室外熱交換器(１３)の上記ガス供給側の部分近傍の領域以外の領域に上記電装品箱(３０)が位置していることを特徴とする空気調和機の室外機。
【請求項２】
請求項１に記載の空気調和機の室外機において、
冷房運転時に上記圧縮機(１１)からの高温のガス冷媒が上記室外熱交換器(１３)の上側の上記ガス供給側の部分に供給され、
上記電装品箱(３０)が、上記圧縮機(１１)から高温のガス冷媒が供給される上記室外熱交換器(１３)の上側の上記ガス供給側の部分よりも下側に位置していることを特徴とする空気調和機の室外機。
【請求項３】
請求項１に記載の空気調和機の室外機において、
上記室外熱交換器(１３)の上記ガス供給側の部分から離れていて、冷房運転時に上記ガス冷媒が流出する上記室外熱交換器(１３)の部分の近傍に上記電装品箱(３０)が位置していることを特徴とする空気調和機の室外機。
【発明の詳細な説明】
【技術分野】
【０００１】
この発明は、空気調和機の室外機に関する。
【背景技術】
【０００２】
従来、空気調和機の室外機としては、図３に示すように、ケーシング１２０と、上記ケーシング１２０内に配置された室外熱交換器１１３と、上記ケーシング１２０内に配置された圧縮機１１１と、上記ケーシング１３０内の上側に配置された電装品箱１３０とを備えたものがある (例えば、特開平９−２３６２８５号公報(特許文献１)参照)。
【０００３】
上記空気調和機の室外機では、冷房運転時に圧縮機１１１から吐出された高温のガス冷媒が室外熱交換器１１３の上側から供給されるため、その近傍に配置された電装品箱１３０に設けられた放熱フィンを流れる空気が高温となると共、室外熱交換器１１３およびそれに接続された冷媒配管の輻射熱の影響を受けて、電装品箱１３０の放熱フィンの放熱性が悪くなるという問題がある。
【０００４】
このように電装品箱の放熱フィンの放熱性が悪くなると、放熱フィンを介して冷却される電装品(電装品箱内のパワーモジュール等の電子部品)の温度が十分に下がらず、信頼性が低下する。
【特許文献１】特開平９−２３６２８５号公報
【発明の開示】
【発明が解決しようとする課題】
【０００５】
そこで、この発明の課題は、簡単な構成で電装品を効果的に冷却できる空気調和機の室外機を提供することにある。
【課題を解決するための手段】
【０００６】
上記課題を解決するため、この発明の空気調和機の室外機は、
ケーシングと、
上記ケーシング内に配置された室外熱交換器と、
上記ケーシング内に配置された圧縮機と、
上記ケーシング内に配置された電装品箱と
を備え、
冷房運転時に上記室外熱交換器のガス供給側に上記圧縮機からの高温のガス冷媒が供給され、
上記室外熱交換器の上記ガス供給側の部分近傍の領域以外の領域に上記電装品箱が位置していることを特徴とする。
【０００７】
上記構成の空気調和機の室外機によれば、上記ケーシング内に配置された電装品箱が、冷房運転時に室外熱交換器のガス供給側の部分近傍の領域以外の領域にあるため、例えば電装品箱に設けられた放熱フィン付近を流れる空気の温度上昇が抑えられると共、室外熱交換器およびそれに接続された冷媒配管の輻射熱の影響を受けにくくなる。したがって、簡単な構成で電装品箱内の電子部品(放熱フィンを用いて放熱されるパワーモジュール等)を効果的に冷却できる。
【０００８】
また、一実施形態の空気調和機の室外機は、
冷房運転時に上記圧縮機から高温のガス冷媒が上記室外熱交換器の上側の上記ガス供給側の部分に供給され、
上記電装品箱が、上記圧縮機から高温のガス冷媒が供給される上記室外熱交換器の上側の上記ガス供給側の部分よりも下側の上記ケーシング内の領域に位置している。
【０００９】
上記実施形態の空気調和機の室外機によれば、例えば電装品箱に設けられた放熱フィンを流れる空気の温度上昇が抑えられると共、室外熱交換器およびそれに接続された冷媒配管の輻射熱の影響を受けにくくなる。また、冷房運転時の室外熱交換器内の冷媒の偏流ムラを容易に防いで効率のよい熱交換が行える。
【００１０】
また、一実施形態の空気調和機の室外機は、
上記室外熱交換器の上記ガス供給側の部分から離れていて、冷房運転時に上記ガス冷媒が流出する上記室外熱交換器の部分の近傍に上記電装品箱が位置している。
【００１１】
上記実施形態の空気調和機の室外機によれば、例えば電装品箱に設けられた放熱フィンを流れる空気の温度上昇が効果的に抑えられると共、室外熱交換器およびそれに接続された冷媒配管の輻射熱の影響を受けずに、電装品箱内の電子部品をより効果的に冷却できる。
【発明の効果】
【００１２】
以上より明らかなように、この発明の空気調和機の室外機によれば、簡単な構成で電装品を効果的に冷却することができる。
【００１３】
また、一実施形態の空気調和機の室外機によれば、冷房運転時に圧縮機から高温のガス冷媒が室外熱交換器の上側から供給され、電装品箱が、上記圧縮機から高温のガス冷媒が供給される上記室外熱交換器の上側よりも下側の領域に配置されていることによって、電装品を効果的に冷却しつつ効率のよい熱交換を行うことができる。
【発明を実施するための最良の形態】
【００１４】
以下、この発明の空気調和機の室外機を図示の実施の形態により詳細に説明する。
【００１５】
図１はこの発明の実施の一形態の空気調和機の回路図であり、１は室外機、２は室内機である。この実施の形態の空気調和機の室外機１は、図１に示すように、圧縮機１１と、四路弁１２と、室外熱交換器１３と、電動膨張弁１４と、フィルタ１５と、閉鎖弁１６,１８と、アキュムレータ１９と、室外ファン２１とを有している。また、室内機２は、室内熱交換器１７と、室内ファン２２とを有している。
【００１６】
上記圧縮機１１の吐出側に一端を四路弁１２の一端に接続し、上記四路弁１２の他端を室外熱交換器１３の一端に接続している。上記室外熱交換器１３の他端に電動膨張弁１４の一端を接続し、上記電動膨張弁１４の他端にフィルタ１５の一端を接続する。また、上記フィルタ１５の他端に閉鎖弁１６の一端を接続し、上記閉鎖弁１６の他端に連絡配管Ｌ１を介して室内熱交換器１７の一端を接続している。上記室内熱交換器１７の他端に連絡配管Ｌ２を介して閉鎖弁１８の一端を接続し、その閉鎖弁１８の他端を四路弁１２とアキュムレータ１９を介して圧縮機１１の吸込側に接続している。
【００１７】
上記圧縮機１１、四路弁１２、室外熱交換器１３、電動膨張弁１４、フィルタ１５、閉鎖弁１６、室内熱交換器１７、閉鎖弁１８およびアキュムレータ１９で冷媒回路を形成している。
【００１８】
上記構成の空気調和機において、冷房運転を行う場合、四路弁１２を実線の位置に切り換えて、電動膨張弁１４を所定開度に開いた後、圧縮機１１の運転を開始する。そうすると、上記圧縮機１１から吐出された高温高圧のガス冷媒が室外熱交換器１３において外気との熱交換により凝縮する。その後、室外熱交換器１３で凝縮された冷媒は、電動膨張弁１４により膨張して低温低圧の液冷媒となり、フィルタ１５,閉鎖弁１６および連絡配管Ｌ１を介して室内熱交換器１７に流入する。上記室内熱交換器１７に流入した液冷媒は、室内空気との熱交換により蒸発して室内を冷房する。次に、室内熱交換器１７で蒸発したガス冷媒は、連絡配管Ｌ２,閉鎖弁１８,四路弁１２およびアキュムレータ１９を介して圧縮機１１の吸込側に戻る。
【００１９】
図２は上記空気調和機の室外機の構成を示す模式図を示している。図２に示すように、ケーシング２０内に熱交換室Ａと機械室Ｂを仕切る仕切板３１を配置している。上記ケーシング２０内の熱交換室Ａに上面視が略Ｌ字形状の室外熱交換機１３を配置し、その室外熱交換機１３の風下側に室外ファン２１を配置している。一方、機械室Ｂの下側には、圧縮機１１とアキュムレータ１９を配置している。上記ケーシング２０内の上側、かつ、熱交換室Ａと機械室Ｂに跨る領域に電装品箱３０を配置している。上記電装品箱３０は、パワーモジュール(図示せず)等の発熱部品や回路基板(図示せず)を収納している。また、電装品箱３０には、パワーモジュール(図示せず)等の発熱部品用の放熱フィン(図示せず)を設けている。
【００２０】
上記室外機１では、冷房運転時に圧縮機１１から高温のガス冷媒が室外熱交換器１３の中段側方から矢印Ｒ１の方向に供給され、室外熱交換器１３の上側の部分から矢印Ｒ２の方向に流出すると共に、室外熱交換器１３の下側の部分から矢印Ｒ３の方向に流出する。このように、冷房運転時に圧縮機１１から高温のガス冷媒が供給される室外熱交換器１３のガス供給側の部分が位置するケーシング２０内の領域以外のケーシング２０内の領域に電装品箱３０を配置しているため、電装品箱３０に設けられた放熱フィン付近を流れる空気の温度上昇が抑えられると共、室外熱交換器１３およびそれに接続された冷媒配管(図示せず)からの輻射熱の影響を受けにくくなる。したがって、簡単な構成で電装品箱３０内の電子部品(パワーモジュール等)を効果的に冷却することができる。
【００２１】
なお、上記室外機１では、冷房運転時の熱交換効率を下げないように、例えば室外熱交換器の中段から下側に圧縮機からの高温のガス冷媒を供給する経路に比べて、中段から上側に高温のガス冷媒を供給する経路を短くすることによる圧力差によって、室外熱交換器内における冷媒に偏流が生じないようにして、熱交換効率の低下を抑える。このような室外熱交換器内の冷媒偏流を抑える構造は、これに限らず、室外熱交換器の構成に応じて適宜設計するのが望ましい。
【００２２】
上記実施の形態では、冷房運転時に圧縮機１１から高温のガス冷媒が室外熱交換器１３の中段側方から供給したが、冷房運転時に圧縮機から高温のガス冷媒が室外熱交換器の上側の部分から供給され、電装品箱が、圧縮機から高温のガス冷媒が供給される室外熱交換器の上側の部分よりも下側のケーシング内の領域に配置されている室外機にこの発明を適用してもよい。
【００２３】
また、室外熱交換器のガス供給側の部分から離れていて、冷房運転時にガス冷媒が流出する室外熱交換器の部分の近傍に電装品箱が位置するようにしてもよい。この場合、電装品箱に設けられた放熱フィンを流れる空気の温度上昇が効果的に抑えられると共、室外熱交換器およびそれに接続された冷媒配管の輻射熱の影響を受けずに、電装品箱内の電子部品をより効果的に冷却することができる。
【００２４】
なお、この発明において、「電装品箱」は、発熱部品若しくはその放熱部品を含むものであり、発熱部品,放熱部品を含まない電装品箱が、熱交換器のガス供給側にあることを妨げるものではない。
【図面の簡単な説明】
【００２５】
【図１】図１はこの発明の実施の一形態の空気調和機の室外機の回路図である。
【図２】図２は上記空気調和機の室外機の構成を示す模式図である。
【図３】図３は従来の空気調和機の室外機の構成を示す模式図である。
【符号の説明】
【００２６】
１…室外機
２…室内機
１１…圧縮機
１２…四路弁
１３…室外熱交換器
１４…電動膨張弁
１５…フィルタ
１６,１８…閉鎖弁
１７…室内熱交換器
１９…アキュムレータ
２０…ケーシング
２１…室外ファン
２２…室内ファン
３０…電装品箱
３１…仕切板
Ａ…熱交換室
Ｂ…機械室
【図１】
2007205620.tif 000003
【図２】
2007205620.tif 000004
【図３】
2007205620.tif 000005